(57)【要約】【課題】散歩中の犬が放尿をし始める直前に尿排出器官の近傍に添えて確実に尿を吸収処理する携帯用のペット用尿取り具を提供すること。【解決手段】携帯用のペット用尿取り具１０は、皿状の容器１２に所定長さの柄１７を取り付けて構成されている。容器１２は、配置面１２ａと該配置面１２ａの周囲から僅かに立ち上がる周壁１２ｂとから形成されている。容器１２の配置面１２ａ上には尿吸収体２７が配置され、尿吸収体２７は容器１２内に着脱可能に保持する保持手段３１により簡単に交換することができるようになっている。【選択図】図１
2007166933.tif 000002
【特許請求の範囲】
【請求項１】
尿吸収体と、該尿吸収体を保持する板状の配置部と、一端が前記配置部に接続されて該配置部から延び、他端側がグリップ部とされた所定長さの柄と、前記尿吸収体を前記配置部に着脱可能に保持する保持手段とを備える携帯用のペット用尿取り具。
【請求項２】
前記携帯用のペット用尿取り具が、前記配置部に旋回可能に取り付けられたカバーを備え、不使用時に前記配置部を覆って前記尿吸収体を非露出状態にすると共に使用時に前記カバーを開けて前記配置部に保持された前記尿吸収体を露出させる請求項１に記載の携帯用のペット用尿取り具。
【請求項３】
前記配置部に旋回可能に取り付けられた前記カバーの内側にも前記尿吸収体を着脱可能に保持する保持手段を備え、前記尿吸収体が、前記配置部と前記カバーとのヒンジ部を跨いで前記配置部と前記カバーとに着脱可能に保持されている請求項２に記載の携帯用のペット用尿取り具。
【請求項４】
前記携帯用のペット用尿取り具が、前記配置部に対して開方向に旋回力を付与するバネ部材と、前記カバーに設けられた係止部と、該係止部に係止する撓み可能なフックとを備え、該フックにはワイヤーの一端が接続され、該ワイヤーの他端は前記グリップ部の近傍に設けられた操作部に接続され、前記操作部の操作により前記ワイヤーを引くと、前記フックが前記爪を前記係止部から解除する方向に撓み、前記カバーが前記配置部に対して前記バネ部材の付勢力により旋回して開く請求項２または請求項３に記載の携帯用のペット用尿取り具。
【発明の詳細な説明】
【技術分野】
【０００１】
本発明は、携帯用のペット用尿取り具に関し、さらに詳細には特に、犬や猫などのペットが屋外で尿をする時に尿排出器官の近傍に添えて尿を速やかに受ける携帯用のペット用尿取り具に関する。
【背景技術】
【０００２】
犬や猫などのペットが屋内で尿をするときにそれを処理するための道具（ペット用トイレ）は、種々のものが存在している。例えば、特許文献１に開示されたペット用糞尿自動処理機などは、家庭内で犬や猫の糞尿を処理し、家庭内の衛生環境を保つ道具として知られている。他方、犬などのペットを散歩させているときに糞などを路上に放置しないことは、愛犬家のマナーであり、そのために愛犬家は、犬を散歩させるときに糞を取るための道具を携帯していることが多い。
【特許文献１】実開平６−８１２４５号公報
【発明の開示】
【発明が解決しようとする課題】
【０００３】
犬は、その習性から、マーキングと称して、散歩中に頻繁に尿をして歩く。愛犬家は、散歩中における犬の放尿について糞ほどに関心は高くなく、尿を処理することまではしていない。したがって、そのための処理具、即ち犬の尿取り具なるものはまったく存在していない。しかし、最近では、環境問題に対する住民の意識が高くなるに連れて、散歩中の犬の尿についてもきちんと処理することが望まれている。ところが、前述したように散歩中の犬の尿を処理し得る携帯用の処理具が無いために、犬の尿はほとんど処理されることがない。犬が放尿するときの状態は、雌と雄では異なるが、いずれの場合でも犬が放尿をし始める直前に路面と尿排出器官との間、或いは電柱又は壁と尿排出器官との間など非常に狭い場所に即座に処理具をあてがうことができる必要がある。
【０００４】
この発明の目的は、かかる従来の問題点を解決するためになされたもので、散歩中に犬が放尿をし始めるとき、その直前に尿排出器官の近傍に添えて確実に尿を吸収処理する携帯用のペット用尿取り具を提供することにある。
【課題を解決するための手段】
【０００５】
本発明に係る携帯用のペット用尿取り具は、前述した技術的課題を解決するために以下のように構成されている。すなわち、本発明に係る携帯用のペット用尿取り具は、尿吸収体と、該尿吸収体を保持する板状の配置部と、一端が前記配置部に接続されて該配置部から延び、他端側がグリップ部とされた所定長さの柄と、前記尿吸収体を前記配置部に着脱可能に保持する保持手段とを備えて構成されていることを特徴とする。
【０００６】
本発明に係る携帯用のペット用尿取り具は、前述した必須の構成要素からなるが、本発明の一実施形態としては、前記携帯用のペット用尿取り具が、前記配置部に旋回可能に取り付けられたカバーを備え、不使用時に前記配置部を覆って前記尿吸収体を非露出状態にすると共に使用時に前記カバーを開けて前記配置部に保持された前記尿吸収体を露出させるようにしてもよい。
【０００７】
また、本発明に係る携帯用のペット用尿取り具における他の実施形態としては、前記配置部に旋回可能に取り付けられた前記カバーの内側にも前記尿吸収体を着脱可能に保持する保持手段を備え、前記尿吸収体が、前記配置部と前記カバーとのヒンジ部を跨いで前記配置部と前記カバーとに着脱可能に保持されていることである。
【０００８】
さらに、本発明に係る携帯用のペット用尿取り具における他の実施形態としては、前記携帯用のペット用尿取り具が、前記配置部に対して開方向に旋回力を付与するバネ部材と、前記カバーに設けられた係止部と、該係止部に係止する撓み可能なフックとを備え、該フックにはワイヤーの一端が接続され、該ワイヤーの他端は前記グリップ部の近傍に設けられた操作部に接続され、前記操作部の操作により前記ワイヤーを引くと、前記フックが前記爪を前記係止部から解除する方向に撓み、前記カバーが前記配置部に対して前記バネ部材の付勢力により旋回して開くようにしてもよい。
【発明の効果】
【０００９】
本発明に係る携帯用のペット用尿取り具によると、尿を受ける尿吸収体が保持された配置部には柄が取り付けられているので、散歩中に犬が尿をするそぶりを見せたとき、柄の先端に取付けられている配置部を犬の尿排出器官と例えば電柱又は路面の間に即座に配置することができ、極めて容易に犬の尿を配置部に保持した尿吸収体で受けることができる。また、配置部に保持された尿吸収体は、該配置部に着脱自在であるため、家に戻ったあとに配置部から取り外して廃棄し、新しい尿吸収体を簡単にセットすることで、何度でも使用することができる。
【００１０】
また、本発明に係る携帯用のペット用尿取り具によると、その不使用時には配置部を覆う開閉式のカバーを備えているので、散歩中でも、使用時以外に尿が染み込んだ尿吸収体を露出するのを防止することができ、周囲の人に対して不快感を与えることがない。さらに、本発明に係る携帯用のペット用尿取り具では、カバーの内側でも尿吸収体を着脱可能に保持することができるので、尿吸収体を配置部とカバーとのヒンジ部を跨いで取り付けることができ、その結果、尿取り領域が大きくなり、確実に尿を取ることができる。
【００１１】
さらに、本発明に係る携帯用のペット用尿取り具では、柄に取り付けた操作部によりカバーを所謂、ワンタッチで開くことができるので、犬が尿をするそぶりを見せると同時にカバーを開けることができる。その結果、不使用時に尿吸収体を非露出状態にするカバーを設けた場合でも、使用者が直接カバーにまで手を延ばして開ける動作をする必要がないので極めて手軽にかつ迅速に尿を受けることができる。
【発明を実施するための最良の形態】
【００１２】
以下、本発明に係る携帯用のペット用尿取り具を添付の図に示された好適な実施形態についてさらに説明する。図１は、本発明の一実施形態に係る携帯用のペット用尿取り具を使用時の状態で示す斜視図、図２は、図１に示される携帯用のペット用尿取り具を不使用時の状態で示す側面図、図３は、図１に示される携帯用のペット用尿取り具を構成する尿取り具本体を使用時の状態で示す斜視図である。
【００１３】
この実施形態に係る携帯用のペット用尿取り具（以下、ペット用尿取り具という）１０は、尿取り具本体１１と、この尿取り具本体１１に着脱自在に保持される尿吸収体２７とから構成されている。尿取り具本体１１は、尿吸収体を保持する配置部を備え、この実施形態において配置部は、図３に示されるようにほぼ平坦な配置面１２ａと該配置面１２ａの周囲から湾曲しながら僅かに立ち上がる周壁１２ｂとからなる浅い皿状の容器１２で構成されている。図１〜図３では、前後方向を示す矢印Ｘにおいて右方向を前方、左方向を後方とすると、容器１２の配置面１２ａは、犬が尿をしたときに受け取りやすいように該容器１２の前端部１２ｂにおける幅寸法が後端部１２ｃのそれより若干大きい矩形状を呈している。容器１２の後端部１２ｃには、該容器１２と同様な形状と大きさをした皿状のカバー１３が旋回可能に取り付けられている。
【００１４】
すなわち、カバー１３は、ほぼ平坦な蓋面１３ａと該蓋面１３ａの周囲から湾曲しながら僅かに立ち上がる周壁１３ｂとから形成され、容器１２と同様に、カバー１３の前端部１３ｃの幅寸法は、後端部１３ｂのそれより若干大きい矩形状を呈していると共に、容器１２とカバー１３のそれぞれ前端部１２ｃ，１３ｃの幅寸法は同じであり、また、容器１２とカバー１３のそれぞれ後端部１２ｄ，１３ｄの幅寸法は同じに形成されている。なお、図１および図２では、カバー１３が開いている状態なので前端部１３ｃが後端部１３ｄの左側に位置している。カバー１３は、図４に示されているようにヒンジ部により旋回可能に容器１２に連結されている。すなわち、カバー１３の後端部１３ｄにおける周囲壁１３ｂの外側には、幅方向に長いヒンジ用の突出部１４が該周壁１３ｂに一体に形成されている。
【００１５】
この突出部１４は、容器１２の後端部１２ｄにおける周壁１２ｂを切り欠いた間隔部に挿入されると共に容器１２の配置面１２ａに近接して配置されている。突出部１４は、その長さ方向に延びる中心部に金属製の枢軸１５が通されており、突出部１４の長さ方向両端面から枢軸１５の各端部が突出している。この枢軸１５の各端部は、突出部１４が配置される間隔部を画成している容器１２の周壁１２ｄにおける切り欠き面に形成された穴に挿入され、これによりカバー１３の後端部１３ｄが容器１２の後端部１２ｄに旋回可能にヒンジ止めされている。
【００１６】
このようにカバー１３が、容器１２に対して旋回可能に連結されている結果、カバー１３は、図２に矢印Ｒで示されているように容器１２に対して開閉可能である。カバー１３を旋回可能に取り付けている枢軸１５には、ねじりコイルバネ１６が取り付けられ、その一端は容器１２の配置面１２ａに当接され、他端はＬ字状に曲げられてカバー１３の後端部１３ｄにおける周壁１３ｂに係止されている。これにより、カバー１３には、容器１２に対して開放しようとするバネ付勢力が常に作用している。
【００１７】
図１〜図３に示されるように、容器１２の後端部１２ｄ近傍における配置面１２ａの外面には、長手方向に延びる通路（図示せず）を内部に形成した中空筒状の柄１７の一端１７ａが接続されている。柄１７は、容器１２の配置面１２ａから後方向（前端部１２ｃとは反対側の方向）へ延びると同時に容器１２の配置面１２ａに対してほぼ１６０度前後の角度で配置面１２ａの上側、即ち図２で見て上方へ向かって斜めに延び、その他端にはゴム製の筒体１８を装着するなどしてグリップ部１７ｂが形成されている。
【００１８】
容器１２の前端部１２ｃにおける内側には、図５に示されるように湾曲する周壁１２ｂの基部付近から配置面１２ａに対してほぼ垂直にかつ周壁１２ｂより高く立ち上がったフック１９が形成され、周壁１２ｂの上縁より上方へ飛び出した先端部には、爪１９ａが前方側に形成されている。他方、カバー１３の前端部１３ｃにおける周壁１３ｂの内側には、フック１９の爪１９ａに係止する係止部２０が形成されている。係止部２０は、カバー１３が容器１２の配置面１２ａ内側を閉鎖すべく後端部１３ｄを中心に旋回し、容器１２とカバー１３との周壁１２ｂ，１３ｂの上縁どうしが当接したときにフック１９の爪１９ａに係止し得る寸法で形成されている。容器１２の配置面１２ａから立ち上がっているフック１９の高さ方向ほぼ中間部にはワイヤー２１の一端が固着されている。
【００１９】
このワイヤー２１は、フック１９を保護している仕切り壁２２に形成された孔２３を通り、さらに配置面１２ａに相互に間隔をあけて設けられた複数のガイド環２４をくぐらせて後方へ延び、後端部１２ｄ近傍に形成された孔２５から配置面１２ａの裏面側に出て、さらに、柄１７の内部通路を通ってグリップ部１７ｂの近傍まで延びている。グリップ部１７ｂの近傍における柄１７には、操作部であるスライドレバー２６が設けられており、ワイヤー２１の他端が、柄１７の内部通路においてスライドレバー２６に連結されている。柄１７は、その内部通路が容器１２の配置面１２ａに形成された孔２５に連通するようにその一端１７ａを配置面１２ａの外面に接続してもよいし、或いは、ワイヤー２１を孔２５から引き出した後に柄１７の一端近傍に形成した孔（図示せず）から内部通路に通してもよい。
【００２０】
上述のように構成された尿取り具本体１１には、図１に示されるように容器１２とカバー１３の各内部（配置面１２ａと蓋面１３ａ）に尿吸収体２７が容器１２とカバー１３とのヒンジ部を跨いで配置される。尿吸収体２７は、図６（ａ）および図６（ｂ）に示されるように透液性表面シート２８と、不透液性裏面シート２９と、これら両シート間に介在する吸液性コア３０とから形成されている。吸液性コア３０は、好ましくは、表裏面シート２８，２９のいずれかの内面にホットメルト接着剤（図示せず）を介して間欠的に接合している。
【００２１】
表面シート２８には疎水性の不織布を使用することが好ましいが、この不織布を親水性のものに代えたりすることもできる。裏面シート２９には、プラスチックフィルムやプラスチックフィルムと不織布とのラミネート品等を使用することができる。吸液性コア３０には、粉砕パルプや粉砕パルプと高吸水性ポリマーとの混合物を使用することができる。かかる混合物は、それをティシューペーパで被覆して使用することもできる。このような尿吸収体２７としては、市販されている生理用ナプキンをそのまま使用することができ、或いは市販されている使い捨ての紙おむつを、必要ならば多少加工するなどして使用することもできる。
【００２２】
かかる尿吸収体２７は、前述したように相互に開いた容器１２とカバー１３の内側に配置されるが、そのとき、尿吸収体２７が容器１２の配置面１２ａとカバー１３の蓋面１３ａの内側から簡単に外れず、しかし交換できるように着可能に保持するための保持手段３１が容器１２とカバー１３に設けられている。具体的には、図３に示されるように容器１２の配置面１２ａとカバー１３の蓋面１３ａとのそれぞれコーナー近傍に雄型接着布３１ａが固着されている。他方、尿吸収体２７における不透液性裏面シート２９の外面には、尿吸収体２７を容器１２とカバー１３とに配置したときに前述した雄型接着布３１ａに対面する箇所に雌型接着布（図示せず）が設けられ、これにより尿吸収体２７は透液性表面シート２８を露出面にして容器１２とカバー１３に着脱可能に保持することができる。
【００２３】
次に、この実施形態に係るペット用尿取り具１０の使用方法について説明する。使用者は、犬を散歩に連れて行く前に事前の準備として尿取り具本体１１に尿吸収体２７をセットする。その手順は、柄１７のスライドレバー２６を引き、それに締結されたワイヤー２１を引っ張ってフック１９を撓ませる。すると、フック１９の爪１９ａが、容器１２の配置面１２ａを覆った閉鎖状態にあるカバー１３の係止部２０から外れ、カバー１３は、図１および図３に示されるようにねじりコイルバネ１６のバネ付勢力により蓋面１３ａの外面が柄１７に当接するまで大きく開放する。この状態で、使用者は、尿吸収体２７を容器１２とカバー１３とに亘って配置し、その際、尿吸収体２７の不透液性裏面シート２９の外面に取り付けられた雌型接着布を容器１２の配置面１２ａとカバー１３の蓋面１３ａとに取り付けられた雄型接着布３１ａに重ね合わせて尿取り具本体１１にしっかりと保持させる。
【００２４】
その後、使用者が、自らの手でカバー１３を容器１２側に倒し、カバー１３の前端部１３ｃにある係止部２０を容器１２の前端部１２ｃに位置するフック１９の爪１９ａに係止させて閉鎖し、尿吸収体２７を二つ折りにした状態で内部に保持させる。次いで、犬を散歩させているとき、図７および図８に示されるように犬３２が尿をするそぶりを見せたとき、使用者は、柄１７のグリップ部１７ｂ近傍のスライドレバー２６を引く。カバー１３は、前述したようにバネ力で迅速に開くので、例えば、犬３２がオスの場合には犬電柱又は壁の間の隙間に、開いた容器１２とカバー１３とを差し入れ、開いた容器１２とカバー１３に取り付けた尿吸収体２７で尿を受ける。また、犬３２がメスの場合には路面と尿排出器官との間に、開いた容器１２とカバー１３とを差し入れて尿吸収体２７で尿を受ける。
【００２５】
吸収体２７で受けた尿は、透液性表面シート２８から内部に浸透して吸液性コア３０の粉砕パルプ或いは粉砕パルプと高吸水性ポリマーとの混合物によって吸収される。犬３２の尿を吸収した後は、使用者が手動でカバー１３を容器１２側に旋回させて閉鎖する。このようにしてペット用尿取り具１０を携帯すれば、尿吸収体２７を露出させることがなく、周囲の人に不快感を与えることもなく、また、異臭の発生も防止できる。散歩が終わって帰宅したときには、カバー１３を開けて、尿取り具本体１１から尿吸収体２７を取り外して破棄する。
【００２６】
このように、上述した携帯用のペット用尿取り具１０によると、容器１２とそれに連結されたカバー１３とは、両者が開いた状態で見ると全体がほぼ「へ」の字型をした比較的に薄い板状となっていることから犬と電柱又は壁との僅かな隙間、或いは犬と路面との僅かな隙間に迅速に差し入れて犬の尿を受けることができるので、犬が尿をするときに確実に吸収体２７で受けることができると共にその操作に煩わしさが無く極めて容易に行うことができる。
【００２７】
また、容器１２の配置面１２ａとカバー１３の蓋面１３ａに保持された尿吸収体２７は、配置面１２ａと蓋面１３ａとに着脱自在であるため、家に戻ったあとに容器１２およびカバー１３から取り外して廃棄し、新しい尿吸収体２７を簡単にセットすることで、携帯用のペット用尿取り具１０を何度でも使用することができる。さらに、このペット用尿取り具１０によると、その不使用時には容器１２を覆う開閉式のカバー１３を備えているので、散歩中でも、使用時以外に尿が染み込んだ尿吸収体２７を露出するのを防止することができ、周囲の人に対して不快感を与えることがない。しかも、この携帯用のペット用尿取り具１０では、カバー１３の内側でも尿吸収体２７を着脱可能に保持することができるので、尿吸収体２７を容器１２の配置面１２ａとカバー１３とのヒンジ部を跨いで取り付けることができ、その結果、尿取り領域が大きくなり、確実に尿を取ることができる。
【００２８】
加えて、この携帯用のペット用尿取り具１０では、柄１７に取り付けたスライドレバー２６によりカバー１３ワンタッチで開くことができるので、犬が尿をするそぶりを見せると同時にカバー１３を直ちに開けることができ、そのため不使用時に尿吸収体を非露出状態にするカバー１３を設けた場合でも、使用者が直接カバー１３にまで手を延ばして開ける動作をする必要がないので極めて手軽にかつ迅速に尿を取ることができる。
【００２９】
図９には、本発明の他の実施形態に係る携帯用のペット用尿取り具を構成する尿取り具本体４１が図２と同様な斜視図で示されている。この尿取り具本体４１を示す図９において、前述した実施形態に係る尿取り具本体１１と同一又は相当する部分には同一の参照符号を付けてその説明を省略する。この尿取り具本体４１では、容器１２とカバー１３とが、それぞれ前端部１２ｃ，１３ｃどうしを旋回可能に連結されて構成されている。
【００３０】
このような構成に伴ってフック１９は、容器１２の後端部側に設けられており、また係止部２０はカバー１３の前端部側に設けられている。このような尿取り具本体４１によるとカバー１３は、容器１２の前端部を中心に旋回して前方に開く。この尿取り具本体４１では、尿吸収体２７は、主にカバー１３の蓋面１３ａに配置される。図２に示される実施形態の尿取り具１１では、カバー１３を開くと、蓋面１３ａの外面が柄１７にぶつかるため、容器１２に対してほぼ１６０度までしか開かないが、図９に示される実施形態の尿取り具本体４１では、カバー１８が前端部を旋回中心にして前方へ向かって開くので、カバー１３の開放が柄１７によって邪魔されず、したがって容器１２とほぼ同一平面、即ち容器１２に対してほぼ１８０度の角度まで開くことができる。その結果、この尿取り具本体４１に尿吸収体２７を取り付けて使用すると、犬と電柱又は壁との狭小間への差し込みが非常に容易で、犬の尿を確実に受けることができる。
【００３１】
上述した実施形態に係る携帯用のペット用尿取り具１０では、皿状の容器１２が配置面１２aとその周囲から僅かに立ち上がった周壁１２ｂとから形成されていた。この周壁１２の存在により配置面１２ａに保持した尿吸収体２７が携帯中に配置面２７からずれるのを防ぐと同時にカバーにより包囲し易くするのに効果を有するものではあるが、本発明では周壁１２ｂを必ずしも必要としない。また、上述の実施形態に係る携帯用のペット用尿取り具１０では、容器１２の内部を開閉する旋回可能なカバー１３が設けられていたが、本発明ではこのカバー１３についても必ず必要とするものではなく、容器１２だけでも実施することができる。
【００３２】
さらに、柄１７は、容器１２に対して着脱可能に接続することも好ましく、また柄１７を入れ子式にして、長さを適宜調整することも好ましい。さらに、尿吸収体２７を容器１２の配置面１２ａやカバー１３の蓋面１３ａに保持する保持手段として雌型および雄型の接着布を用いたが、粘着テープ等に代えて使用することもできるし、容器１２の配置面１２ａやカバー１３の蓋面１３ａに紐通し孔を形成し、この紐通し孔を通した紐で尿吸収体２７を縛って容器１２やカバー１３に固定することもできる。
【００３３】
なお、前述した尿吸収体２７は一例であり、本発明では図６に示されるような構造のものに限定されるものではない。尿吸収体２７としては、例えば、一般的に家庭の台所で使用する使い捨ての水切り網袋や不織布からなる袋などにティッシュペーパ或いは使い古した布切れなどを詰めて構成することもできる。
【図面の簡単な説明】
【００３４】
【図１】本発明の一実施形態に係る携帯用のペット用尿取り具を使用時における状態で示す斜視図。
【図２】図１に示す携帯用のペット用尿取り具を不使用の状態で示す側面図。
【図３】図１に示す携帯用のペット用尿取り具における尿取り具本体をその使用時における状態で示す斜視図。
【図４】図３に示す尿取り具本体の後端部を部分的に示す拡大断面図。
【図５】不使用の状態にある尿取り具本体の前端部を部分的に示す断面図。
【図６】尿取り具本体に保持される尿吸収体を示す斜視図と一部破断して示す断面図。
【図７】散歩中にオス犬の尿を本発明の携帯用のペット用尿取り具で受けている使用状態の説明図。
【図８】散歩中にメス犬の尿を本発明の携帯用のペット用尿取り具で受けている使用状態の説明図。
【図９】本発明の他の実施形態に係る携帯用のペット用尿取り具における尿取り具本体を図３と同様に使用時における状態で示す斜視図。
【符号の説明】
【００３５】
１０    携帯用のペット用尿取り具
１１，４１    尿取り具本体
１２    容器
１２ａ    配置面（配置部）
１２ｂ    周壁
１３    カバー
１３ａ    蓋面
１３ｂ    周壁
１６    ねじりコイルバネ
１７    柄
１７ａ    柄の一端
１７ｂ    柄のグリップ部
１９    フック
１９ａ    爪
２０    係止部
２１    ワイヤー
２６    スライドレバー（操作部）
２７    尿吸収体
【図１】
2007166933.tif 000003
【図２】
2007166933.tif 000004
【図３】
2007166933.tif 000005
【図４】
2007166933.tif 000006
【図５】
2007166933.tif 000007
【図６】
2007166933.tif 000008
【図７】
2007166933.tif 000009
【図８】
2007166933.tif 000010
【図９】
2007166933.tif 000011